【手続補正書】
【提出日】平成15年8月27日(2003.8.27)
【手続補正１】
【補正対象書類名】特許請求の範囲
【補正対象項目名】全文
【補正方法】変更
【補正の内容】
【特許請求の範囲】
【請求項１】
複数の放射器が実装されたパネルと、
上記放射器に作動するように連結された信号給電ネットワークと、
上記給電ネットワークにある信号位相調整器と、
直線的に往復運動し、上記位相調整器に連結されるとともに上記パネルの底端の近くに位置する終点を有する位相調整機械アクチュエータとを備えること
を特徴とするセルラー基地局アンテナアセンブリ。
【請求項２】
上記信号位相調整器は、回動するように実装されて、上記給電ネットワークにおいて容量結合された位相調整ワイパを含むこと
を特徴とする請求項１記載のセルラー基地局アンテナアセンブリ。
【請求項３】
上記機械アクチュエータは、上記ワイパに連結され、当該機械アクチュエータの直線運動を上記ワイパのアーチ状の運動に変換するために形成されること
を特徴とする請求項２記載のセルラー基地局アンテナアセンブリ。
【請求項４】
上記機械アクチュエータは、手動操作と電気アクチュエータによる操作との間の変換に適応されること
を特徴とする請求項１記載のセルラー基地局アンテナアセンブリ。
【請求項５】
上記給電ネットワークの少なくとも１つの部分を含む第１のプリント回路基板をさらに含み、
上記ワイパは、上記第１のプリント回路基板上に実装されること
を特徴とする請求項２記載のセルラー基地局アンテナアセンブリ。
【請求項６】
上記アンテナは、上記機械アクチュエータに連結されるとともに当該機械アクチュエータによって操作される第１及び第２の位相調整器を含むこと
を特徴とする請求項１記載のセルラー基地局アンテナアセンブリ。
【請求項７】
上記第１及び第２の位相調整器は、機械的に連結されること
を特徴とする請求項６記載のセルラー基地局アンテナアセンブリ。
【請求項８】
上記機械アクチュエータは、位置ロックを含むこと
を特徴とする請求項１記載のセルラー基地局アンテナアセンブリ。
【請求項９】
上記位相調整器は、さらに、
固定プリント回路基板と、
上記固定プリント回路基板上に実装された信号入力端子と、
上記信号入力端子に電磁的に連結されたワイパと、
上記ワイパに電磁的に連結されるとともに、上記信号給電ネットワークの部分を形成し、上記ワイパの移動によって有効長が変化する伝送路とを含むこと
を特徴とする請求項１記載のセルラー基地局アンテナアセンブリ。
【請求項１０】
上記ワイパは、回動するように上記信号入力端子に連結されること
を特徴とする請求項９記載のセルラー基地局アンテナアセンブリ。
【請求項１１】
上記機械アクチュエータは、遠隔の信号ソースからのコマンドに反応する電気アクチュエータに連結され、当該電気アクチュエータによって機械的に調整されること
を特徴とする請求項１記載のセルラー基地局アンテナアセンブリ。
【請求項１２】
複数の放射器を有するパネルと、
上記放射器に作動するように連結された信号給電ネットワークと、
上記パネル上に位置して上記信号給電ネットワークの部分を形成し、相対的に変位可能な位相調整コンポーネントを有する少なくとも１つの機械式の位相調整器と、
上記パネルから外れて位置し、上記位相調整コンポーネントの少なくとも１つに機械的に連結された電気アクチュエータとを備えること
を特徴とするセルラー基地局アンテナ。
【請求項１３】
上記電気アクチュエータは、機械アクチュエータによって上記位相調整コンポーネントの少なくとも１つに連結されること
を特徴とする請求項１２記載のセルラー基地局アンテナ。
【請求項１４】
上記パネルは、垂直に配設され、上記電気アクチュエータは、上記パネルの下部に位置すること
を特徴とする請求項１２記載のセルラー基地局アンテナ。
【請求項１５】
上記機械アクチュエータは、手動操作への変換に適応されること
を特徴とする請求項１３記載のセルラー基地局アンテナ。
【請求項１６】
上記電気アクチュエータは、上記アンテナから遠隔に位置した信号ソースによってコントロールされること
を特徴とする請求項１２記載のセルラー基地局アンテナ。
【請求項１７】
上記機械アクチュエータの位置を検出するためのセンサを含むこと
を特徴とする請求項１３記載のセルラー基地局アンテナ。
【請求項１８】
上記電気アクチュエータは、上記センサに反応する上記アンテナから遠隔に位置した信号ソースによってコントロールされること
を特徴とする請求項１７記載のセルラー基地局アンテナ。
【請求項１９】
上記パネルは、上記信号給電ネットワークの少なくとも１つの部分を含む第１のプリント回路基板を含むこと
を特徴とする請求項１２記載のセルラー基地局アンテナ。
【請求項２０】
上記第１のプリント回路基板上に実装された回転可能なワイパをさらに含み、
上記ワイパは、相対的に変位可能な位相調整コンポーネントをなすこと
を特徴とする請求項１９記載のセルラー基地局アンテナ。
【請求項２１】
上記パネルは、共通の機械アクチュエータに連結されるとともに当該共通の機械アクチュエータによって操作される複数の位相調整器を含むこと
を特徴とする請求項１２記載のセルラー基地局アンテナ。
【請求項２２】
上記電気アクチュエータは、電気モータを含むこと
を特徴とする請求項１２記載のセルラー基地局アンテナ。
【請求項２３】
複数の放射器と、
上記放射器を相互接続させる伝送路と、
上記相互接続された放射器の相対的な位相を変化させるための位相調整システムとを備え、
上記位相調整システムは、さらに、
上記伝送路の部分を形成する印刷導体部を有するプリント回路基板と、
信号給電に接続されるとともに上記印刷導体部に連結された位相調整器とを含み、
上記位相調整器は、移動及び停止プロセスにおける異なる位相値間の上記相互接続された放射器の信号位相を相対的に調整するために形成された断続的に移動可能なコンポーネントを有すること
を特徴とするセルラー基地局アンテナ。
【請求項２４】
上記プリント回路基板に回動するように接続され、上記印刷導体部に容量結合された導電性の層を有する移動可能なプリント回路基板をさらに含むこと
を特徴とする請求項２３記載のセルラー基地局アンテナ。
【請求項２５】
上記位相調整システムは、遠隔の信号ソースからのコマンドに反応する電気アクチュエータによって機械的に操作されること
を特徴とする請求項２３記載のセルラー基地局アンテナ。
【請求項２６】
上記位相調整器と上記電気アクチュエータとの間に接続された機械アクチュエータをさらに含むこと
を特徴とする請求項２５記載のセルラー基地局アンテナ。
【請求項２７】
ａ）垂直に実装されるように構成され正面側及び背面側を有し、ビームを作り出す延長されたパネルアンテナと、
ｂ）ビーム高さコントロールシステムとを備え、
上記アンテナは、
ｉ）パネルアンテナの正面側に離間して配置された第１、第２、第３、及び第４の放射器エレメントに信号を供給するために形成された給電システムと、
ｉｉ）電気機械式の位相調整システムとから構成され、
上記位相調整システムは、
１．パネルアンテナの背面であって上記給電システム内に配設された第１の機械式の位相シフトコンポーネントと、
２．第１及び第２の放射器エレメントの両端部に連結されてアーチ型に形成された第１の固定伝送路コンポーネント、及び、上記第１の伝送路コンポーネントを横切ってワイプし、上記第１及び第２の連結された放射器エレメントの一方までの信号経路を短縮する一方で、上記連結された放射器エレメントの他方までの信号経路を延長するために形成された信号を導く移動可能な第１のワイパコンポーネントとを含む第１の位相シフトコンポーネントと、
３．パネルアンテナの背面側であって上記給電システム内に配設された第２の機械式の位相シフトコンポーネントと、
４．第３及び第４の放射器エレメントの両端部に連結されてアーチ型に形成されたコンポーネントの第２の固定伝送路コンポーネント、及び、上記第２の伝送路コンポーネントを横切ってワイプし、上記第３及び第４の連結された放射器エレメントの一方までの信号経路を短縮する一方で、上記連結された放射器エレメントの他方までの信号経路を延長するために形成された信号を導く移動可能な第２のワイパコンポーネントとを含む第２の位相シフトコンポーネントと、
５．上記第１及び第２の位相シフトコンポーネントの下部に上記パネルアンテナによって支持されたモータと、
６．上記第１及び第２のワイパコンポーネントに上記モータを連結する機械式のリンケージとから構成され、
上記リンケージは、上記モータと上記第１及び第２の移動可能なワイパコンポーネントとの間に延長部材を含み、上記モータの作動により、上記パネルアンテナの長さ方向に上記延長部材を移動させることを生じさせ、且つ上記第１及び第２のワイパコンポーネントを上記伝送路コンポーネントを横切ってアーチ状に同時にワイプさせることを生じさせ、且つ上記延長部材の移動方向及び移動大きさに関してビームの固定高さを変化させることを生じさせるような、上記第１及び第２の移動可能なワイパコンポーネントの少なくとも１つを支持する回動するように実装された１つのワイパアームに少なくとも連結され、
上記ビーム高さコントロールシステムは、
ｉ）上記アンテナから遠隔に配設されるとともに上記モータに連結されたモータコントローラから構成され、
ｉｉ）上記モータコントローラは、上記モータにビーム高さコマンドを送信し、ビーム高さの調整を行うために形成されていること
を特徴とするセルラー基地局アンテナ。
【請求項２８】
上記第１及び第２のワイパコンポーネントのうちの一方は、上記延長部材が移動される場合には、当該ワイパコンポーネントの他方の２倍遠くまで移動すること
を特徴とする請求項２７記載のセルラー基地局アンテナ。
【請求項２９】
上記第１及び第２のワイパコンポーネントを相互接続させるリンクをさらに含むこと
を特徴とする請求項２７記載のセルラー基地局アンテナ。
【請求項３０】
上記機械式のリンケージは、モータの回転運動を延長部材の直線運動に変換すること
を特徴とする請求項２７記載のセルラー基地局アンテナ。
【請求項３１】
上記ビーム高さコントロールシステムは、上記モータコントローラが反応するビーム位置確認手段を含むこと
を特徴とする請求項２７記載のセルラー基地局アンテナ。
【請求項３２】
上記延長部材は、上記パネルアンテナのより低端の近くの終点を有すること
を特徴とする請求項２７記載のセルラー基地局アンテナ。
【請求項３３】
上記延長部材の上記終点は、ビーム高さを調整するための当該延長部材の手動操作を促進するために第１に適応され、ビーム高さの遠隔電気式調整用の上記アンテナシステムへの上記モータの接続を促進するために第２に適応されること
を特徴とする請求項３２記載のセルラー基地局アンテナ。
【請求項３４】
上記終点は、上記延長部材が上記モータに接続するためのネジ結合ナットを含むこと
を特徴とする請求項３２記載のセルラー基地局アンテナ。
【請求項３５】
上記延長部材は、当該延長部材の位置に基づいたビーム高さの指示を提供する指標を含むこと
を特徴とする請求項２７記載のセルラー基地局アンテナ。
【請求項３６】
上記延長部材は、プラスチックから構成されること
を特徴とする請求項２７記載のセルラー基地局アンテナ。
【請求項３７】
容易に設置するために、上記モータは、上記パネルアンテナの下部で吊されるように上記パネルアンテナに組み込まれる構成とされていること
を特徴とする請求項２７記載のセルラー基地局アンテナ。
【請求項３８】
上記モータは、上記電気機械式の位相調整システムへ組み込まれる構成とされるように形成されること
を特徴とする請求項２７記載のセルラー基地局アンテナ。
【請求項３９】
固定ビーム高さの手動調整とビーム高さの電気的な調整のための電気アクチュエータの組み込み構成との両方に適応されるセルラー基地局アンテナシステムであって、
複数の離間された放射器を実装するために適応されたパネルアンテナと、
上記放射器に作動するように連結された信号給電ネットワークと、
上記給電ネットワークにある信号位相調整器と、
上記位相調整器に連結された位相調整機械アクチュエータとを備え、
上記機械アクチュエータは、第１にビーム高さの手動調整の設定がなされ、第２にビーム高さの遠隔電気式調整のための電気アクチュエータの選択的な取り付けの設定がなされること
を特徴とするセルラー基地局アンテナシステム。
【請求項４０】
上記機械アクチュエータは、上記パネルアンテナの端の下部の終点を有し、
上記終点は、ビーム高さの手動調整及び上記電気アクチュエータの取り付けの設定がなされること
を特徴とする請求項３９記載のセルラー基地局アンテナシステム。
【請求項４１】
上記終点は、上記位相シフタまで延長部材を通す開口を備えて上記電気アクチュエータによって駆動されるネジナットを含むこと
を特徴とする請求項４０記載のセルラー基地局アンテナシステム。
【請求項４２】
上記延長部材は、当該延長部材の位置に基づいたビーム高さを指示する指標を包含すること
を特徴とする請求項４１記載のセルラー基地局アンテナシステム。
【請求項４３】
複数の離間された位相シフタを含み、
上記機械アクチュエータは、上記パネルアンテナに沿って縦に伸び、それぞれの手動又は電気的な同時操作のための上記位相シフタに連結された延長部材を含むこと
を特徴とする請求項３９記載のセルラー基地局アンテナシステム。